(57)【要約】【課題】フォーカス（Ｆ）及びトラッキング（Ｔ）制御信号の光検出信号へのクロストークを低減し大容量のディスク(Ｄ）も良好再生する光Ｄ装置(50)を提供する。【解決手段】Ｄにレーザを集光する対物レンズ(3a3)と反射光を検出し光検出信号(S4)を出力する受光部(3a4)と、対物レンズを駆動するＦ及びＴ駆動部(8,9)と、光検出信号からＦ及びＴエラー信号(S5,S6)を生成する処理回路(5)と、Ｆ制御信号(S1)とＴ制御信号(S2)とを生成しこれらの信号から制御信号(S3)を生成出力する信号生成部(12)と、制御信号からＦ及びＴ駆動部を駆動するＦ駆動信号(S9)及びＴ駆動信号(S10)を出力する駆動信号生成部(2a)とを備え、信号生成部はＦ制御信号とＴ制御信号とのパルス変調信号を時分割合成して制御信号を生成し、この制御信号を復調してＦ制御復調信号(S7f)とＴ制御復調信号(S8f)とを生成する復調部(13)を有して両信号(S7f,S8f)からＦ駆動信号とＴ駆動信号とを生成する。【選択図】図１
2008276869.tif 000002
【特許請求の範囲】
【請求項１】
光ディスクにレーザ光を照射して該光ディスクに対する情報の再生または記録を行う光ディスク装置において、
前記光ディスクに対してレーザ光を集光させる対物レンズと、
前記光ディスクからの反射光を検出して光検出信号を出力する受光部と、
前記対物レンズを、光軸方向に移動させるフォーカス駆動部及び光軸の直交方向に移動させるトラッキング駆動部と、
前記光検出信号に基づいてフォーカスエラー信号及びトラッキングエラー信号を生成する光検出信号処理回路と、
前記フォーカスエラー信号に基づくフォーカス制御信号とトラッキングエラー信号に基づくトラッキング制御信号とを生成すると共に、該フォーカス制御信号及びトラッキング制御信号に基づく制御信号を出力する制御信号生成部と、
前記制御信号に基づいて前記フォーカス駆動部を駆動させるフォーカス駆動信号と前記トラッキング駆動部を駆動させるトラッキング駆動信号とを出力する駆動信号生成部と、を備え、
前記制御信号生成部は、フォーカス制御信号とトラッキング制御信号とをパルス幅変調したパルス信号にすると共に両信号を時分割合成して前記制御信号を生成し、
前記駆動信号生成部は、前記制御信号を復調してフォーカス制御復調信号とトラッキング制御復調信号とを生成する復調部を有し、該フォーカス制御復調信号とトラッキング制御復調信号とからそれぞれ前記フォーカス駆動信号とトラッキング駆動信号とを生成して出力することを特徴とする光ディスク装置。
【請求項２】
前記制御信号を伝送する第１の配線パターンと、前記光検出信号を伝送する第２の配線パターンと、を有し、該第１及び第２の配線パターンが互いに隣接して設けられていることを特徴とする請求項１記載の光ディスク装置。
【請求項３】
光ディスクにレーザ光を照射して該光ディスクに対する情報の再生または記録を行う光ディスク装置において、
前記光ディスクに対してレーザ光を集光させる対物レンズと、
前記光ディスクからの反射光を検出して光検出信号を出力する受光部と、
前記対物レンズを、光軸方向に移動させるフォーカス駆動部及び光軸の直交方向に移動させるトラッキング駆動部と、
前記光検出信号に基づいてフォーカスエラー信号及びトラッキングエラー信号を生成する光検出信号処理回路と、
前記フォーカスエラー信号に基づくフォーカス制御信号とトラッキングエラー信号に基づくトラッキング制御信号とを生成すると共に、該フォーカス制御信号及びトラッキング制御信号に基づいて制御信号及び該制御信号の逆位相の反転制御信号を出力する制御信号生成部と、
前記制御信号と前記反転制御信号とに基づいて前記フォーカス駆動部を駆動させるフォーカス駆動信号と前記トラッキング駆動部を駆動させるトラッキング駆動信号を出力する駆動信号生成部と、を備え、
前記制御信号生成部は、フォーカス制御信号とトラッキング制御信号とをパルス幅変調したパルス信号にすると共に両信号を時分割合成して前記制御信号を生成し、
前記駆動信号生成部は、前記制御信号と前記反転制御信号との差動信号を出力する差動アンプと、該差動信号を復調してフォーカス制御復調信号及びトラッキング制御復調信号を生成する復調部と、を有し、該フォーカス制御復調信号とトラッキング制御復調信号とからそれぞれ前記フォーカス駆動信号とトラッキング駆動信号とを生成して出力することを特徴とする光ディスク装置。
【請求項４】
前記制御信号を伝送する第１の配線パターンと、前記反転制御信号を伝送する第２の配線パターンと、を有し、該第１及び第２の配線パターンが互いに隣接して設けられていることを特徴とする請求項３記載の光ディスク装置。
【請求項５】
前記光検出信号を伝送する第３の配線パターンを有し、該第３の配線パターンが、前記第１及び第２の配線パターンのいずれかに隣接して設けられていることを特徴とする請求項４記載の光ディスク装置。
【請求項６】
光ディスクにレーザ光を照射して該光ディスクに対する情報の再生または記録を行う光ディスク装置において、
前記光ディスクに対してレーザ光を集光させる対物レンズと、
前記光ディスクからの反射光を検出して光検出信号を出力する受光部と、
前記対物レンズを、光軸方向に移動させるフォーカス駆動部及び光軸の直交方向に移動させるトラッキング駆動部と、
前記光検出信号に基づいてフォーカスエラー信号及びトラッキングエラー信号を生成する光検出信号処理回路と、
前記フォーカスエラー信号に基づくフォーカス制御信号とトラッキングエラー信号に基づくトラッキング制御信号とを生成すると共に、該フォーカス制御信号及びトラッキング制御信号に基づいて制御信号及び所定のデューティ比を有する基準信号を出力する制御信号生成部と、
前記制御信号と前記基準信号とに基づいて前記フォーカス駆動部を駆動させるフォーカス駆動信号と前記トラッキング駆動部を駆動させるトラッキング駆動信号を出力する駆動信号生成部と、を備え、
前記制御信号生成部は、フォーカス制御信号とトラッキング制御信号とをパルス幅変調したパルス信号にすると共に両信号を時分割合成して前記制御信号を生成し、
前記駆動信号生成部は、前記制御信号を前記基準信号と比較して三値信号を出力する演算部と、該三値信号を復調してフォーカス制御復調信号及びトラッキング制御復調信号を生成する復調部と、を有し、該フォーカス制御復調信号とトラッキング制御復調信号とからそれぞれ前記フォーカス駆動信号とトラッキング駆動信号とを生成して出力することを特徴とする光ディスク装置。
【請求項７】
前記制御信号を伝送する第１の配線パターンと、前記三値信号を伝送する第２の配線パターンと、前記光検出信号を伝送する第３の配線パターンと、を有し、前記第３の配線パターンが、少なくとも前記第１及び第２の配線パターンのいずれかに隣接して設けられていることを特徴とする請求項６記載の光ディスク装置。
【請求項８】
光ディスクに対して光ピックアップをフォーカス駆動及びトラッキング駆動させ、該光ピックアップから出射されるレーザ光により該光ディスクに対する情報の再生または記録を行う光ディスク装置における光ピックアップの駆動方法において、
前記光ピックアップをフォーカス駆動させるためのフォーカス制御信号とトラッキング駆動させるためのトラッキング制御信号とをパルス幅変調により生成する制御信号生成ステップと、
前記フォーカス制御信号と前記トラッキング制御信号とを時分割合成して合成制御信号を生成する合成制御信号生成ステップと、
前記合成制御信号を復調してフォーカス制御復調信号とトラッキング制御復調信号とを生成する復調ステップと、
前記フォーカス制御復調信号とトラッキング制御復調信号とに基づいて前記光ピックアップをフォーカス駆動及びトラッキング駆動する光ピックアップ駆動ステップと、を有することを特徴とする光ピックアップ駆動方法。
【請求項９】
光ディスクに対して光ピックアップをフォーカス駆動及びトラッキング駆動させ、該光ピックアップから出射されるレーザ光により該光ディスクに対する情報の再生または記録を行う光ディスク装置における光ピックアップの駆動方法において、
前記光ピックアップをフォーカス駆動させるためのフォーカス制御信号とトラッキング駆動させるためのトラッキング制御信号とをパルス幅変調により生成する制御信号生成ステップと、
前記フォーカス制御信号と前記トラッキング制御信号とを時分割して合成した合成制御信号と、該合成制御信号の逆位相となる反転制御信号と、を生成する合成制御信号生成ステップと、
前記合成制御信号と前記反転制御信号との差動信号を生成する差動信号生成ステップと、
該差動信号を復調してフォーカス制御復調信号とトラッキング制御復調信号とを生成する復調ステップと、
前記フォーカス制御復調信号とトラッキング制御復調信号とに基づいて前記光ピックアップをフォーカス駆動及びトラッキング駆動する光ピックアップ駆動ステップと、を有することを特徴とする光ピックアップ駆動方法。
【請求項１０】
光ディスクに対して光ピックアップをフォーカス駆動及びトラッキング駆動させ、該光ピックアップから出射されるレーザ光により該光ディスクに対する情報の再生または記録を行う光ディスク装置における光ピックアップの駆動方法において、
前記光ピックアップをフォーカス駆動させるためのフォーカス制御信号とトラッキング駆動させるためのトラッキング制御信号とをパルス幅変調により生成する制御信号生成ステップと、
前記フォーカス制御信号と前記トラッキング制御信号とを時分割して合成した合成制御信号と、所定のデューティ比を有する基準信号と、を生成する合成制御信号生成ステップと、
前記合成制御信号を前記基準信号と比較して三値信号を出力する三値演算ステップと、
該三値信号を復調してフォーカス制御復調信号とトラッキング制御復調信号とを生成する復調ステップと、
前記フォーカス制御復調信号とトラッキング制御復調信号とに基づいて前記光ピックアップをフォーカス駆動及びトラッキング駆動する光ピックアップ駆動ステップと、を有することを特徴とする光ピックアップ駆動方法。
【発明の詳細な説明】
【技術分野】
【０００１】
本発明は、光ピックアップ駆動方法及び光ディスク装置に係り、特に、大容量化した光ディスクに対する、安定した記録または再生と高速でのリードライトとを可能にする技術に関する。
【背景技術】
【０００２】
光ディスクを回転駆動してその光ディスクに対して情報を記録または再生する光ディスク装置が知られている。また、その光ディスクとして、ＣＤ，ＤＶＤ，Ｂｌｕ−ｒａｙ  Ｄｉｓｃ，ＨＤ  ＤＶＤなどが利用される。
この光ディスク装置においては、装着された光ディスクに対し、光ピックアップを離接させるフォーカス制御及び半径方向に移動させるトラッキング制御が行われ、その光ピックアップからのレーザ光照射によって情報の記録または再生が行われる。
このような装置の一例は、特許文献１に記載されているが、以下、特に、信号伝達経路を中心に従来の例を具体的に説明する。
【０００３】
図１０は、その従来の光ディスク装置の一例を示すブロック図である。
この図において、光ディスク装置５００は、信号処理回路１０１ａ，光ピックアップ用駆動回路１０２ａ，光ピックアップユニット１０３ａ，及び光ディスク１１１を回転駆動するスピンドルモータ１１０を備えている。
【０００４】
信号処理回路１０１ａは、フォーカス制御信号及びトラッキング制御信号をアナログ信号として生成する処理回路１０４と、光ピックアップユニット１０３ａから出力された光検出信号を基にフォーカスエラー信号及びトラッキングエラー信号を生成する処理回路１０５と、を備えている。
【０００５】
また、光ピックアップ用駆動回路１０２ａは、生成されたフォーカス制御信号を基にフォーカス駆動信号を生成するフォーカス駆動回路１０６と、生成されたトラッキング制御信号を基にトラッキング駆動信号を生成するトラッキング駆動回路１０７と、を備えている。
【０００６】
また、光ピックアップユニット１０３ａは、光源１０３ａ１と、光源からのレーザ光を反射して立ち上げるビームスプリッタ１０３ａ２と、レーザ光を光ディスク１１１の記録面に集光させる対物レンズ１０３ａ３と、記録面で反射しビームスプリッタ１０３ａ２を通過したレーザ光を検出して光検出信号を出力する受光素子１０３ａ４と、を備えている。
【０００７】
また、この光ピックアップユニット１０３ａを光ディスク１１１の記録面に対し垂直移動させる為のボイスコイル１０８と、光ピックアップユニット１０３ａをディスク１１１の記録面に対し平行移動させる為のボイスコイル１０９と、が設けられている。
【０００８】
上記構成において、処理回路１０４から出力されるフォーカス制御信号は、フォーカス駆動回路１０６へと伝達され、このフォーカス駆動回路１０６によりボイスコイル１０８へ印加される電流に基づいて、光ピックアップユニット１０３ａの対物レンズ１０３ａ３が光ディスク１１１の記録面に対して垂直移動される。
この垂直移動による反射光量の変化は、受光素子１０３ａ４により電気信号に変換され、光検出信号として処理回路１０５に伝達される。
この光検出信号に基づいて処理回路１０５により生成されたフォーカスエラー信号は、処理回路１０４にフィードバックされ、フォーカス制御が行われる。
【０００９】
一方、トラッキング制御についても同様であり、処理回路１０４より出力されるトラッキング制御信号は、トラッキング駆動回路１０７へと伝達され、このトラッキング駆動回路１０７によりボイスコイル１０９へ印加される電流に基づいて、光ピックアップユニット１０３ａの対物レンズ１０３ａ３が光ディスク１１１の記録面に対し平行移動される。
【００１０】
この平行移動による反射光量の変化は、受光素子１０３ａ４により電気信号に変換され、光検出信号として処理回路１０５に伝達される。
この光検出信号に基づいて処理回路１０５により生成されたトラッキングエラー信号は、処理回路１０４にフィードバックされ、トラッキング制御が行われる。
【００１１】
次に、この光ディスク駆動装置５００の概略構成について図１１を用いて説明する。
【００１２】
信号処理回路１０１ａと、光ピックアップ用駆動回路１０２ａは、それぞれ独立したリジッド基板ＰＢ１０１，ＰＢ１０２に設けられており、両者はＦＰＣ（フレキシブルプリント配線板）１２０を介して電気的に接続されている。
そして、上述したフォーカス制御信号及びトラッキング制御信号と、光ピックアップユニット１０３ａの受光素子１０３ａ４により電気信号に変換された微弱な光検出信号は、光ディスク装置における例えば小型化のための搭載面積の制約により、リジット基板及びＦＰＣの配線パターン幅やその間隔は最小に、かつ高密度に配置させる必要があるため、リジッド基板ＰＢ１０１，ＰＢ１０２においてもＦＰＣ１２０においても互いに極めて近接して設けられた配線パターンにより伝送される。
【００１３】
【特許文献１】特開２００５−２５９３０８号公報
【発明の開示】
【発明が解決しようとする課題】
【００１４】
ところで、上述した従来の光ディスク駆動装置５００において、装着された光ディスク１１１からのデータの読み出しは、光源１０３ａ１からのレーザ光を光ディスク１１１における所定のトラックに合焦するように照射し、その反射光に応じて得られた光検出信号に基づいて行われる。
【００１５】
ここで、レーザ光を、光ディスクの所定のトラックに合焦するように照射するには、光ピックアップユニット１０３ａの対物レンズ１０３ａ３の位置を、フォーカス方向とトラッキング方向とに独立的に可変して制御する方法が用いられる。
具体的には、入来したフォーカスエラー信号に基づいてフォーカス制御信号を生成し、このフォーカス制御信号に応じて対物レンズを焦点方向に駆動するためのフォーカス駆動信号を出力する第一の駆動回路と、入来したトラッキングエラー信号に基づいてトラッキング制御信号を生成し、このトラッキング制御信号に応じて対物レンズをトラック方向に駆動するためのトラッキング駆動信号を出力する第二の駆動回路と、を備えて制御が行われる。
【００１６】
しかしながら、上述したように、フォーカス制御信号とトラッキング制御信号と光検出信号とは互いに近接して配線されるために、フォーカス制御信号あるいはトラッキング制御信号が、配線の共通インピーダンスを通じて、又は電磁誘導や電磁波として、微弱な光検出信号にクロストークとして混入する場合があるという問題が生じる。
【００１７】
一方、光ディスクは、赤外レーザ光を用いるＣＤから、赤色レーザ光を用いるＤＶＤへと、更には、青色レーザ光を用いるＢｌｕ−ｒａｙ  ＤｉｓｃやＨＤ  ＤＶＤなどへと大容量化（換言するならば高密度化）が進んでいる。
【００１８】
このような光ディスクの高密度化に対応するためには、フォーカス制御やトラッキング制御のカットオフ周波数をより高くする必要があり、これに伴いフォーカス制御信号やトラッキング制御信号の帯域周波数も高くなると共に、光検出信号も外部からのノイズなどの影響を受けやすくなる。
そのため、上述したクロストークの影響が無視できなくなって、大容量化（高密度化）した光ディスクに対する安定した記録または再生や、光ディスクに対する高速リードライト化を妨げる障害となっている。
【００１９】
このクロストークは、従来のように、フォーカス制御信号とトラッキング制御信号とを別々の配線パターンで伝送した場合、その夫々の配線パターンから発生し、その影響が大きい傾向がある。
【００２０】
また、フォーカス制御信号とトラッキング制御信号とをアナログ信号ではなく、デジタルパルス列信号として伝送しようとする場合は、帯域周波数を高くするために、基準クロック信号の周波数をパルス列信号のビットの数倍まで高める必要がある。
この場合、その構成の仕方によっては、周波数が数ＭＨｚから数十ＭＨｚに至るため電磁波として輻射されやすく、クロストークが一層大きくなってしまうという問題があった。
【００２１】
そこで、本発明が解決しようとする課題は、フォーカス制御信号及びトラッキング制御信号の光検出信号へのクロストークを低減して、光ピックアップユニットのフォーカス及びトラッキング動作が安定し、大容量の光ディスクに対してより良好な記録または再生が可能で、高速リードライトが可能となる光ピックアップ駆動方法及び光ディスク装置を提供することにある。
【課題を解決するための手段】
【００２２】
上記の課題を解決するために、本願発明は手段として次の１）〜７）の構成及び８）〜１０）の手順を有する。
１）  光ディスクにレーザ光を照射して該光ディスクに対する情報の再生または記録を行う光ディスク装置（５０）において、
前記光ディスク（１１）に対してレーザ光を集光させる対物レンズ（３ａ３）と、
前記光ディスク（１１）からの反射光を検出して光検出信号（Ｓ４）を出力する受光部（３ａ４）と、
前記対物レンズ（３ａ３）を、光軸方向に移動させるフォーカス駆動部（８）及び光軸の直交方向に移動させるトラッキング駆動部（９）と、
前記光検出信号（Ｓ４）に基づいてフォーカスエラー信号（Ｓ５）及びトラッキングエラー信号（Ｓ６）を生成する光検出信号処理回路（５）と、
前記フォーカスエラー信号（Ｓ５）に基づくフォーカス制御信号（Ｓ１）とトラッキングエラー信号（Ｓ６）に基づくトラッキング制御信号（Ｓ２）とを生成すると共に、該フォーカス制御信号（Ｓ１）及びトラッキング制御信号（Ｓ２）に基づく制御信号（Ｓ３）を出力する制御信号生成部（１２）と、
前記制御信号（Ｓ３）に基づいて前記フォーカス駆動部（８）を駆動させるフォーカス駆動信号（Ｓ９）と前記トラッキング駆動部（９）を駆動させるトラッキング駆動信号（Ｓ１０）とを出力する駆動信号生成部（２ａ）と、を備え、
前記制御信号生成部（１２）は、フォーカス制御信号（Ｓ１）とトラッキング制御信号（Ｓ２）とをパルス幅変調したパルス信号にすると共に両信号を時分割合成して前記制御信号（Ｓ３）を生成し、
前記駆動信号生成部（２ａ）は、前記制御信号（Ｓ３）を復調してフォーカス制御復調信号（Ｓ７ｆ）とトラッキング制御復調信号（Ｓ８ｆ）とを生成する復調部（１３）を有し、該フォーカス制御復調信号（Ｓ７ｆ）とトラッキング制御復調信号（Ｓ８ｆ）とからそれぞれ前記フォーカス駆動信号（Ｓ９）とトラッキング駆動信号（ｓ１０）とを生成して出力することを特徴とする光ディスク装置（５０）である。
２）  前記制御信号（Ｓ３）を伝送する第１の配線パターン（Ｐｓ３）と、前記光検出信号（Ｓ４）を伝送する第２の配線パターン（Ｐｓ４）と、を有し、該第１及び第２の配線パターン（Ｐｓ３）（Ｐｓ４）が互いに隣接して設けられていることを特徴とする１）に記載の光ディスク装置（５０）である。
３）  光ディスク（１１）にレーザ光を照射して該光ディスク（１１）に対する情報の再生または記録を行う光ディスク装置において、
前記光ディスク（１１）に対してレーザ光を集光させる対物レンズ（３ａ３）と、
前記光ディスク（１１）からの反射光を検出して光検出信号（Ｓ４）を出力する受光部（３ａ４）と、
前記対物レンズ（３ａ３）を、光軸方向に移動させるフォーカス駆動部（８）及び光軸の直交方向に移動させるトラッキング駆動部（９）と、
前記光検出信号（Ｓ４）に基づいてフォーカスエラー信号（Ｓ５）及びトラッキングエラー信号（Ｓ６）を生成する光検出信号処理回路（５）と、
前記フォーカスエラー信号（Ｓ５）に基づくフォーカス制御信号（Ｓ１）とトラッキングエラー信号（Ｓ６）に基づくトラッキング制御信号（Ｓ２）とを生成すると共に、該フォーカス制御信号（Ｓ１）及びトラッキング制御信号（Ｓ２）に基づいて制御信号（Ｓ３）及び該制御信号（Ｓ３）の逆位相の反転制御信号（Ｓ３Ｒ）を出力する制御信号生成部（１２Ｂ）と、
前記制御信号（Ｓ３）と前記反転制御信号（Ｓ３Ｒ）とに基づいて前記フォーカス駆動部（８）を駆動させるフォーカス駆動信号（Ｓ９）と前記トラッキング駆動部（９）を駆動させるトラッキング駆動信号（Ｓ１０）を出力する駆動信号生成部（２ｂ）と、を備え、
前記制御信号生成部（１２Ｂ）は、フォーカス制御信号（Ｓ１）とトラッキング制御信号（Ｓ２）とをパルス幅変調したパルス信号にすると共に両信号を時分割合成して前記制御信号（Ｓ３）を生成し、
前記駆動信号生成部（２ｂ）は、前記制御信号（Ｓ３）と前記反転制御信号（Ｓ３Ｒ）との差動信号（Ｓ１１）を出力する差動アンプ（１５）と、該差動信号（Ｓ１１）を復調してフォーカス制御復調信号（Ｓ７ｆ）及びトラッキング制御復調信号（Ｓ８ｆ）を生成する復調部（１３）と、を有し、該フォーカス制御復調信号（Ｓ７ｆ）とトラッキング制御復調信号（Ｓ８ｆ）とからそれぞれ前記フォーカス駆動信号（Ｓ９）とトラッキング駆動信号（Ｓ１０）とを生成して出力することを特徴とする光ディスク装置（５０Ｂ）である。
４）  前記制御信号（Ｓ３）を伝送する第１の配線パターン（Ｐｓ３）と、前記反転制御信号（Ｓ３Ｒ）を伝送する第２の配線パターン（Ｐｓ３ｒ）と、を有し、該第１及び第２の配線パターン（Ｐｓ３，Ｐｓ３ｒ）が互いに隣接して設けられていることを特徴とする３）に記載の光ディスク装置（５０Ｂ）。
５）  前記光検出信号（Ｓ４）を伝送する第３の配線パターン（Ｐｓ４）を有し、該第３の配線パターン（Ｐｓ４）が、前記第１及び第２の配線パターン（Ｐｓ３，Ｐｓ３ｒ）のいずれかに隣接して設けられていることを特徴とする４）に記載の光ディスク装置（５０Ｂ）である。
６）  光ディスク（１１）にレーザ光を照射して該光ディスク（１１）に対する情報の再生または記録を行う光ディスク装置において、
前記光ディスク（１１）に対してレーザ光を集光させる対物レンズ（３ａ３）と、
前記光ディスク（１１）からの反射光を検出して光検出信号（Ｓ４）を出力する受光部（３ａ４）と、
前記対物レンズ（３ａ３）を、光軸方向に移動させるフォーカス駆動部（８）及び光軸の直交方向に移動させるトラッキング駆動部（９）と、
前記光検出信号（Ｓ４）に基づいてフォーカスエラー信号（Ｓ５）及びトラッキングエラー信号（Ｓ６）を生成する光検出信号処理回路（１２ｃ）と、
前記フォーカスエラー信号（Ｓ５）に基づくフォーカス制御信号（Ｓ１）とトラッキングエラー信号（Ｓ６）に基づくトラッキング制御信号（Ｓ２）とを生成すると共に、該フォーカス制御信号（Ｓ１）及びトラッキング制御信号（Ｓ２）に基づいて制御信号（Ｓ３）及び所定のデューティ比を有する基準信号（Ｓ１２）を出力する制御信号生成部（１２ｃ）と、
前記制御信号（Ｓ３）と前記基準信号（１２）とに基づいて前記フォーカス駆動部（８）を駆動させるフォーカス駆動信号（Ｓ９）と前記トラッキング駆動部（９）を駆動させるトラッキング駆動信号（Ｓ１０）を出力する駆動信号生成部（２ｃ）と、を備え、
前記制御信号生成部（１２ｃ）は、フォーカス制御信号（Ｓ１）とトラッキング制御信号（Ｓ２）とをパルス幅変調したパルス信号にすると共に両信号を時分割合成して前記制御信号（Ｓ３）を生成し、
前記駆動信号生成部（２ｃ）は、前記制御信号（Ｓ３）を前記基準信号（Ｓ１２）と比較して三値信号（Ｓ１３）を出力する演算部（１７）と、該三値信号（Ｓ１３）を復調してフォーカス制御復調信号（Ｓ７ｆ）及びトラッキング制御復調信号（Ｓ８ｆ）を生成する復調部（１８）と、を有し、該フォーカス制御復調信号（Ｓ７ｆ）とトラッキング制御復調信号（Ｓ８ｆ）とからそれぞれ前記フォーカス駆動信号（Ｓ９）とトラッキング駆動信号（Ｓ１０）とを生成して出力することを特徴とする光ディスク装置（５０Ｃ）である。
７）  前記制御信号（Ｓ３）を伝送する第１の配線パターン（Ｐｓ３）と、前記三値信号（Ｓ１３）を伝送する第２の配線パターン（Ｐｓ１３）と、前記光検出信号（Ｓ４）を伝送する第３の配線パターン（Ｐｓ４）と、を有し、前記第３の配線パターン（Ｐｓ４）が、少なくとも前記第１及び第２の配線パターン（Ｐｓ３，Ｐｓ１３）のいずれかに隣接して設けられていることを特徴とする６）に記載の光ディスク装置（５０Ｃ）である。
８）  光ディスク（１１）に対して光ピックアップ（３ａ）をフォーカス駆動及びトラッキング駆動させ、該光ピックアップ（３ａ）から出射されるレーザ光により該光ディスク（１１）に対する情報の再生または記録を行う光ディスク装置における光ピックアップの駆動方法において、
前記光ピックアップ（１１）をフォーカス駆動させるためのフォーカス制御信号（Ｓ９）とトラッキング駆動させるためのトラッキング制御信号（Ｓ１０）とをパルス幅変調により生成する制御信号生成ステップと、
前記フォーカス制御信号（Ｓ９）と前記トラッキング制御信号（Ｓ１０）とを時分割合成して合成制御信号（Ｓ３）を生成する合成制御信号生成ステップと、
前記合成制御信号（Ｓ３）を復調してフォーカス制御復調信号（Ｓ７ｆ）とトラッキング制御復調信号（Ｓ８ｆ）とを生成する復調ステップと、
前記フォーカス制御復調信号（Ｓ７ｆ）とトラッキング制御復調信号（Ｓ８ｆ）とに基づいて前記光ピックアップ（３ａ）をフォーカス駆動及びトラッキング駆動する光ピックアップ駆動ステップと、を有することを特徴とする光ピックアップ駆動方法である。
９）  光ディスク（１１）に対して光ピックアップ（３ａ）をフォーカス駆動及びトラッキング駆動させ、該光ピックアップ（３ａ）から出射されるレーザ光により該光ディスク（１１）に対する情報の再生または記録を行う光ディスク装置における光ピックアップの駆動方法において、
前記光ピックアップ（３ａ）をフォーカス駆動させるためのフォーカス制御信号（Ｓ９）とトラッキング駆動させるためのトラッキング制御信号（Ｓ１０）とをパルス幅変調により生成する制御信号生成ステップと、
前記フォーカス制御信号（Ｓ９）と前記トラッキング制御信号（Ｓ１０）とを時分割して合成した合成制御信号（Ｓ３）と、該合成制御信号（Ｓ３）の逆位相となる反転制御信号（Ｓ３Ｒ）と、を生成する合成制御信号生成ステップと、
前記合成制御信号（Ｓ３）と前記反転制御信号（Ｓ３Ｒ）との差動信号（Ｓ１３）を生成する差動信号生成ステップと、
該差動信号（Ｓ１３）を復調してフォーカス制御復調信号（Ｓ７ｆ）とトラッキング制御復調信号（Ｓ８ｆ）とを生成する復調ステップと、
前記フォーカス制御復調信号（Ｓ７ｆ）とトラッキング制御復調信号（Ｓ８ｆ）とに基づいて前記光ピックアップ（３ａ）をフォーカス駆動及びトラッキング駆動する光ピックアップ駆動ステップと、を有することを特徴とする光ピックアップ駆動方法である。
１０）  光ディスク（１１）に対して光ピックアップ（３ａ）をフォーカス駆動及びトラッキング駆動させ、該光ピックアップ（３ａ）から出射されるレーザ光により該光ディスク（１１）に対する情報の再生または記録を行う光ディスク装置における光ピックアップの駆動方法において、
前記光ピックアップ（３ａ）をフォーカス駆動させるためのフォーカス制御信号（Ｓ９）とトラッキング駆動させるためのトラッキング制御信号（Ｓ１０）とをパルス幅変調により生成する制御信号生成ステップと、
前記フォーカス制御信号（Ｓ１）と前記トラッキング制御信号（Ｓ２）とを時分割して合成した合成制御信号（Ｓ３）と、所定のデューティ比を有する基準信号（Ｓ１２）と、を生成する合成制御信号生成ステップと、
前記合成制御信号（Ｓ３）を前記基準信号（Ｓ１２）と比較して三値信号（Ｓ１３）を出力する三値演算ステップと、
該三値信号（Ｓ１３）を復調してフォーカス制御復調信号（Ｓ７ｆ）とトラッキング制御復調信号（Ｓ８ｆ）とを生成する復調ステップと、
前記フォーカス制御復調信号（Ｓ７ｆ）とトラッキング制御復調信号（Ｓ８ｆ）とに基づいて前記光ピックアップ（３ａ）をフォーカス駆動及びトラッキング駆動する光ピックアップ駆動ステップと、を有することを特徴とする光ピックアップ駆動方法である。
【発明の効果】
【００２３】
本発明によれば、光ピックアップユニットのフォーカス及びトラッキング動作が安定し、大容量の光ディスクに対してより良好な記録または再生が可能で、高速リードライトが可能となる、という効果を奏する。
【発明を実施するための最良の形態】
【００２４】
本発明の実施の形態を、好ましい実施例により図１〜図９を用いて説明する。
【００２５】
＜第１実施例＞
図１は第１実施例の光ディスク装置５０のブロック図であり、図２はその概略構成を説明する図である。
【００２６】
この光ディスク装置５０は、信号処理回路１ａ，光ピックアップ用駆動回路２ａ，光ピックアップユニット３ａ，及び光ディスク１１を回転駆動するスピンドルモータ１０を備えている。
また、図２に示すように、信号処理回路１ａは基板ＰＢ１に、また、光ピックアップ用駆動回路２ａは基板ＰＢ２に設けられている。
基板ＰＢ１と基板ＰＢ２とは、ＦＰＣ（フレキシブル配線板）ＦＰＣ１で連結されている。また、光ピックアップユニット３ａは、基板２とＦＰＣ２で連結されている。
【００２７】
図１に戻り、信号処理回路１ａは、後述する光検出信号Ｓ４に基づいてフォーカスエラー信号Ｓ５及びトラッキングエラー信号Ｓ６を生成する光検出信号受信処理回路５と、そのフォーカスエラー信号Ｓ５及びトラッキングエラー信号Ｓ６からフォーカス制御信号Ｓ１とトラッキング制御信号Ｓ２と（図示せず）を生成し、両信号Ｓ１，Ｓ２の合成信号Ｓ３を生成して出力する制御信号生成処理回路１２と、を備えている。
【００２８】
光ピックアップ用駆動回路２ａは、制御信号生成処理回路１２からの合成信号Ｓ３を復調してフォーカス制御復調信号Ｓ７ｆ及びトラッキング制御復調信号Ｓ８ｆを出力する復調回路１３と、フォーカス制御復調信号Ｓ７ｆに基づいてフォーカス駆動信号Ｓ９を生成するフォーカス駆動回路６と、トラッキング制御復調信号Ｓ８ｆに基づいてトラッキング駆動信号Ｓ１０を生成するトラッキング駆動回路７と、を備えている。
【００２９】
また、光ピックアップユニット３ａは、レーザ光の光源３ａ１と、光源３ａ１からのレーザ光を反射して立ち上げるビームスプリッタ３ａ２と、レーザ光を光ディスク１１の記録面（図示せず）に集光させる対物レンズ３ａ３と、記録面で反射しビームスプリッタ３ａ２を通過したレーザ光を検出する受光素子３ａ４と、を備えている。
また、この光ピックアップユニット３ａを光ディスク１１の記録面に対し垂直変移させる為のボイスコイル８と、光ピックアップユニット１０３ａをディスク１１１の記録面に対し平行変位させる為のボイスコイル９と、が設けられている。
【００３０】
上記構成において、上述したように、制御信号生成処理回路１２は、アナログのフォーカス制御信号Ｓ１及びトラッキング制御信号Ｓ２を生成すると共に、これらをパルス幅変調して合成した合成信号Ｓ３を出力する。
この合成信号Ｓ３は、復調回路１３で復調されてフォーカス制御復調信号Ｓ７ｆ及びトラッキング制御復調信号Ｓ８ｆとして出力される。ここで、合成信号Ｓ３は、基板ＰＢ１から基板ＰＢ２へＦＰＣ１を介して配線されたパターンＰｓ３により伝達される。
【００３１】
フォーカス駆動回路６は、フォーカス制御復調信号Ｓ７ｆを入力してフォーカス駆動信号Ｓ９を出力し、トラッキング駆動回路７は、トラッキング制御復調信号Ｓ８ｆを入力してトラッキング駆動信号Ｓ１０を出力する。
フォーカス駆動信号Ｓ９はボイスコイル８に供給され、その電流に基づいて光ピックアップユニット３ａの対物レンズ３ａ３が光ディスク１１の記録面に対して垂直移動される。
トラッキング駆動信号Ｓ１０はボイスコイル９に供給され、その電流に基づいて光ピックアップユニット３ａの対物レンズ３ａ３が光ディスク１１の記録面に対して平行移動される。
【００３２】
この平行移動に伴う反射光量の変化は、受光素子３ａ４により電気信号に変換され微弱な光検出信号Ｓ４として配線パターンＰｓ４により光検出信号受信処理回路５に伝達される。
ここで、光検出信号Ｓ４は、光ピックアップユニット３ａから基板ＰＢ２及びＦＰＣ１を介して基板ＰＢ１へと配線されたパターンＰｓ４により伝達される。
そして、処理回路がこの光検出信号Ｓ４に基づいてフォーカスエラー信号Ｓ５及びトラッキングエラー信号Ｓ６を制御信号生成処理回路１２にフィードバックして制御が行われる。
【００３３】
制御信号生成処理回路１２は、アナログのフォーカス制御信号Ｓ１とトラッキング制御信号Ｓ２とをパルス幅変調し、時分割で合成して合成信号Ｓ３を生成する。
それにより、従来２つ別々の配線パターンが必要だったフォーカス制御信号Ｓ１とトラッキング制御信号Ｓ２とを、複合化して１つの配線パターンＰｓ３で伝送することができ、光検出信号Ｓ４へのクロストークが低減される。
従って、配線パターンＰｓ３と配線パターンＰｓ４とを近接させて配線することができる。もちろん、両配線パターンを隣接させることもできる。
【００３４】
また、この実施例は、各信号Ｓ１，Ｓ２をパルス幅変調して伝送しているので、デジタルパルス列として伝送する場合に比較して周波数が大幅に低くなって電磁波として輻射されにくく、光検出信号へのクロストークがより低減する。
【００３５】
図３は、フォーカス制御信号Ｓ１及びトラッキング制御信号Ｓ２と、これらをパルス幅変調したフォーカス制御信号Ｓ７ｐ及びトラッキング制御信号Ｓ８ｐと、これらを基にして制御信号生成処理回路１２から出力される合成信号Ｓ３と、復調回路１３から出力されるフォーカス制御復調信号Ｓ７ｆ及びトラッキング制御復調信号Ｓ８ｆと、を示した図である。
【００３６】
具体的には、
図３（ａ）はフォーカス制御信号Ｓ１を示し、
図３（ｂ）はトラッキング制御信号Ｓ２を示し、
図３（ｃ）は、この実施例における合成前のパルス幅変調されたフォーカス制御信号Ｓ７ｐを示し、
図３（ｄ）は、この実施例における合成前のパルス幅変調されたトラッキング制御信号Ｓ８ｐを示し、
図３（ｅ）は、この実施例における合成信号Ｓ３を示し、
図３（ｆ）は、この実施例における復調されたフォーカス制御復調信号Ｓ７ｆを示し、
図３（ｇ）は、この実施例における復調されたトラッキング制御復調信号Ｓ８ｆを示している。
【００３７】
この図３において、合成信号Ｓ３は、信号開始を検出するためのヘッダーマークｈｍ，デューティ比５０％の基準信号ｋｓ，合成前のフォーカス制御信号Ｓ７ｐ，及び合成前のトラッキング制御信号Ｓ８ｐにより構成される。
【００３８】
すなわち、図３の下方に示すように、所定の周期Ｔ０の区間ｎ１，ｎ２，・・・を設定すると、まず、ｎ１にヘッダーマークｈｍ、ｎ２に基準信号ｋｓを配列し、さらにｎ３に区間ｎ３のフォーカス制御信号Ｓ７ｐを、ｎ４に区間ｎ４のトラッキング制御信号Ｓ８ｐを配列し、以下、フォーカス制御信号Ｓ７ｐとトラッキング制御信号Ｓ８ｐを交互に配列する。このｎ３以降の交互に配列された区間はデータ配列区間である。
【００３９】
また、フォーカス制御復調信号Ｓ７ｆ及びトラッキング制御復調信号Ｓ８ｆの振幅は、基準信号ｋｓがＨｉｇｈ区間となっている時間ｔ０と、ｎ３以降の各制御信号のＨｉｇｈ区間の時間ｔ１，ｔ２，・・・との比率により設定され、フォーカスとトラッキングとのそれぞれについて、次の信号による比率が設定されるまで、ホールドされる。
【００４０】
例えば、区間ｎ４の合成信号Ｓ３のＨｉｇｈ区間となっている時間ｔ２は、トラッキング制御信号Ｓ８ｐの区間ｎ４のＨｉｇｈの時間に対応しており、これと基準信号ｋｓの時間ｔ０との比、ｔ２／ｔ０  が、トラッキング制御復調信号Ｓ８ｆの区間ｎ５の振幅ｈ１とされている。
トラッキング制御復調信号Ｓ８ｆの次区間ｎ６は、その前区間ｎ５において合成信号Ｓ３にフォーカス制御信号Ｓ７ｐが配列されているので、トラッキング制御復調信号Ｓ８ｆは、振幅ｈ１でホールドされる。
【００４１】
ｎ６以降の区間について同様に振幅は設定され、合成信号Ｓ３からフォーカス制御復調信号Ｓ７ｆ及びトラッキング制御復調信号Ｓ８ｆが復調生成される。
【００４２】
＜第２実施例＞
図４は第２実施例の光ディスク装置５０Ｂのブロック図である。図５はその概略構成を説明する図である。
【００４３】
この光ディスク装置５０Ｂは、信号処理回路１ｂ，光ピックアップ用駆動回路２ｂ，光ピックアップユニット３ａ，及び光ディスク１１を回転駆動するスピンドルモータ１０を備えている。
また、図２に示すように、信号処理回路１ｂは基板ＰＢ１に、また、光ピックアップ用駆動回路２ｂは基板ＰＢ２に設けられている。基板ＰＢ１と基板ＰＢ２とは、ＦＰＣ（フレキシブル配線板）ＦＰＣ１で連結されている。また、光ピックアップユニット３ａは、ＦＰＣ２で基板２と連結されている。
【００４４】
図１に戻り、信号処理回路１ｂは、後述する光検出信号Ｓ４に基づいてフォーカスエラー信号Ｓ５及びトラッキングエラー信号Ｓ６を生成する光検出信号受信処理回路５と、そのフォーカスエラー信号Ｓ５及びトラッキングエラー信号Ｓ６からフォーカス制御信号Ｓ１とトラッキング制御信号Ｓ２と（図示せず）を生成し、両信号Ｓ１，Ｓ２の合成信号Ｓ３，及びその合成信号Ｓ３の合成反転信号Ｓ３Ｒを生成して出力する制御信号生成処理回路１２Ｂと、を備えている。
【００４５】
光ピックアップ用駆動回路２ｂは、制御信号生成処理回路１２Ｂからの合成信号Ｓ３及び合成反転信号Ｓ３Ｒを復調して差動合成信号Ｓ１１を出力する差動アンプ１５と、その差動アンプ１５からの差動合成信号Ｓ１１を復調してフォーカス制御復調信号Ｓ７ｆ及びトラッキング制御復調信号Ｓ８ｆを出力する復調回路１３と、フォーカス制御復調信号Ｓ７ｆに基づいてフォーカス駆動信号Ｓ９を生成するフォーカス駆動回路６と、トラッキング制御復調信号Ｓ８ｆに基づいてトラッキング駆動信号Ｓ１０を生成するトラッキング駆動回路７と、を備えている。
【００４６】
また、光ピックアップユニット３ａは、レーザ光の光源３ａ１と、光源３ａ１からのレーザ光を反射して立ち上げるビームスプリッタ３ａ２と、レーザ光を光ディスク１１の記録面（図示せず）に集光させる対物レンズ３ａ３と、記録面で反射しビームスプリッタ３ａ２を通過したレーザ光を検出する受光素子３ａ４と、を備えている。
また、この光ピックアップユニット３ａを光ディスク１１の記録面に対し垂直変位させる為のボイスコイル８と、光ピックアップユニット１０３ａをディスク１１１の記録面に対し平行変位させる為のボイスコイル９と、が設けられている。
【００４７】
上記構成において、制御信号生成処理回路１２Ｂは、アナログのフォーカス制御信号Ｓ１及びトラッキング制御信号Ｓ２を生成すると共に、これらをパルス幅変調して合成した合成信号Ｓ３とその逆位相となる合成反転信号Ｓ３Ｒとを出力する。
この合成信号Ｓ３及び合成反転信号Ｓ３Ｒは、差動アンプ１５に入力され差動合成信号Ｓ１１が生成される。ここで、合成信号Ｓ３と合成反転信号Ｓ３Ｒとは、それぞれ基板ＰＢ１から基板ＰＢ２へＦＰＣ１を介して独立して配線されたパターンＰｓ３，Ｐｓ３ｒにより伝達される。
【００４８】
この差動合成信号Ｓ１１は、復調回路１３において、フォーカス制御復調信号Ｓ７ｆとトラッキング制御復調信号Ｓ８ｆとに復調されそれぞれ出力される。
フォーカス駆動回路６は、フォーカス制御復調信号Ｓ７ｆを入力してフォーカス駆動信号Ｓ９を出力し、トラッキング駆動回路７は、トラッキング制御復調信号Ｓ８ｆを入力してトラッキング駆動信号Ｓ１０を出力する。
【００４９】
フォーカス駆動信号Ｓ９はボイスコイル８に供給され、その電流に基づいて光ピックアップユニット３ａの対物レンズ３ａ３が光ディスク１１の記録面に対して垂直移動される。
トラッキング駆動信号Ｓ１０はボイスコイル９に供給され、その電流に基づいて光ピックアップユニット３ａの対物レンズ３ａ３が光ディスク１１の記録面に対して平行移動される。
【００５０】
この平行移動に伴う反射光量の変化は、受光素子３ａ４により電気信号に変換され光検出信号Ｓ４として光検出信号受信処理回路５に伝達される。ここで、光検出信号Ｓ４は、光ピックアップユニット３ａから基板ＰＢ２及びＦＰＣ１を介して基板ＰＢ１へと配線されたパターンＰｓ４により伝達される。
処理回路５は、この光検出信号Ｓ４に基づいてフォーカスエラー信号Ｓ５及びトラッキングエラー信号Ｓ６を制御信号生成処理回路１２Ｂにフィードバックすることで制御が行われる。
【００５１】
また、信号処理回路１ｂ及び光ピックアップ用駆動回路２ｂ間の信号伝達において、合成信号Ｓ３と合成反転信号Ｓ３Ｒとは、逆位相であるためそれぞれが輻射する電磁波は互いに打ち消し合う。
そのため、合成信号Ｓ３と合成反転信号Ｓ３Ｒと光検出信号Ｓ４とを伝送する各配線パターンＰｓ３，Ｐｓ３ｒ，Ｐｓ４を、互いに極めて接近させて設けることが可能となっている。もちろん、互いに隣接するように設けることもできる。
【００５２】
また、この実施例も、信号をパルス幅変調して伝送しているので、デジタルパルス列として伝送する場合に比較して周波数が大幅に低くなって電磁波として輻射されにくく、光検出信号へのクロストークがより低減する。
【００５３】
図６は、フォーカス制御信号Ｓ１及びトラッキング制御信号Ｓ２と、これらをパルス幅変調したフォーカス制御信号Ｓ７ｐ及びトラッキング制御信号Ｓ８ｐと、これらを基にして制御信号生成処理回路１２Ｂから出力される合成信号Ｓ３及び合成反転信号Ｓ３Ｒと、復調回路１３から出力されるフォーカス制御復調信号Ｓ７ｆ及びトラッキング制御復調信号Ｓ８ｆと、を示した図である。
【００５４】
具体的には、
図６（ａ）はフォーカス制御信号Ｓ１を示し、
図６（ｂ）はトラッキング制御信号Ｓ２を示し、
図６（ｃ）は、この実施例における合成前のパルス幅変調されたフォーカス制御信号Ｓ７ｐを示し、
図６（ｄ）は、この実施例における合成前のパルス幅変調されたトラッキング制御信号Ｓ８ｐを示し、
図６（ｅ）は、この実施例における合成信号Ｓ３を示し、
図６（ｈ）は、この実施例における合成反転信号Ｓ３Ｒを示し、
図６（ｉ）は、この実施例における合成信号Ｓ３と合成反転信号Ｓ３Ｒとの差動合成信号Ｓ１１と示し、
図６（ｆ）は、この実施例における復調されたフォーカス制御復調信号Ｓ７ｆを示し、
図６（ｇ）は、この実施例における復調されたトラッキング制御復調信号Ｓ８ｆを示している。
【００５５】
この図６において、合成信号Ｓ３は、信号開始を検出するためのヘッダーマークｈｍ，デューティ比５０％の基準信号ｋｓ，合成前のフォーカス制御信号Ｓ７ｐ，及び合成前のトラッキング制御信号Ｓ８ｐにより構成される。
【００５６】
すなわち、図６の下方に示すように、所定の周期Ｔ０の区間ｎ１，ｎ２，・・・を設定すると、まず、ｎ１にヘッダーマークｈｍ、ｎ２に基準信号ｋｓを配列し、さらにｎ３に区間ｎ３のフォーカス制御信号Ｓ７ｐを、ｎ４を区間ｎ４のトラッキング制御信号Ｓ８ｐとし、以下、フォーカス制御信号Ｓ７ｐとトラッキング制御信号Ｓ８ｐを交互に配列する。このｎ３以降の交互に配列された区間はデータ配列区間である。
【００５７】
合成反転信号Ｓ３Ｒは、上述したように、合成信号Ｓ３の逆位相の信号である。
【００５８】
差動合成信号Ｓ１１は、合成信号Ｓ３と合成反転信号Ｓ３Ｒとの差動信号であるので、合成信号Ｓ３と同じ信号となる。
【００５９】
そして、フォーカス制御復調信号Ｓ７ｆ及びトラッキング制御復調信号Ｓ８ｆの振幅は、第１実施例と同様に得る。
すなわち、その振幅は、差動合成信号Ｓ１１において、基準信号ｋｓがＨｉｇｈ区間となっている時間ｔ０と、ｎ３以降の各制御信号のＨｉｇｈ区間の時間ｔ１，ｔ２，・・・との比率により設定され、フォーカスとトラッキングとのそれぞれについて、次の信号による比率が設定されるまで、ホールドされる。
【００６０】
例えば、区間ｎ５の差動合成信号Ｓ１１のＨｉｇｈ区間となっている時間ｔ３は、フォーカス制御信号Ｓ７ｐの区間ｎ５のＨｉｇｈの時間に対応しており、これと基準信号ｋｓの時間ｔ０との比、ｔ３／ｔ０  が、フォーカス制御復調信号Ｓ７ｆの区間ｎ６の振幅ｈ２となっている。
フォーカス制御復調信号Ｓ７ｆの次区間ｎ７は、その前区間ｎ６において差動合成信号Ｓ１１にトラッキング制御信号Ｓ８ｐが配列されているので、フォーカス制御復調信号Ｓ７ｆは、振幅ｈ２でホールドされる。
【００６１】
ｎ８以降の各区間について振幅は同様に設定され、差動合成信号Ｓ１１からフォーカス制御復調信号Ｓ７ｆ及びトラッキング制御復調信号Ｓ８ｆが復調生成される。
【００６２】
＜第３実施例＞
図７は第３実施例の光ディスク装置５０Ｃのブロック図である。図８はその概略構成を説明する図である。
【００６３】
この光ディスク装置５０Ｃは、信号処理回路１ｃ，光ピックアップ用駆動回路２ｃ，光ピックアップユニット３ａ，及び光ディスク１１を回転駆動するスピンドルモータ１０を備えている。
また、図７に示すように、信号処理回路１ｃは基板ＰＢ１に、また、光ピックアップ用駆動回路２ｂは基板ＰＢ２に設けられている。基板ＰＢ１と基板ＰＢ２とは、ＦＰＣ（フレキシブル配線板）ＦＰＣ１で連結されている。また、光ピックアップユニット３ａは、ＦＰＣ２で基板２と連結されている。
【００６４】
信号処理回路１ｃは、後述する光検出信号Ｓ４に基づいてフォーカスエラー信号Ｓ５及びトラッキングエラー信号Ｓ６を生成する光検出信号受信処理回路５と、そのフォーカスエラー信号Ｓ５及びトラッキングエラー信号Ｓ６からフォーカス制御信号Ｓ１とトラッキング制御信号Ｓ２とを生成し、両信号Ｓ１，Ｓ２の合成信号Ｓ３，及び所定のパルス信号である基準信号Ｓ１２を生成して出力する制御信号生成処理回路１２Ｃと、を備えている。
【００６５】
光ピックアップ用駆動回路２ｃは、制御信号生成処理回路１２Ｃからの合成信号Ｓ３と基準信号Ｓ１２とを、排他的論理和演算により合成して演算合成信号Ｓ１３を出力する演算回路１７と、この演算合成信号Ｓ１３を復調してフォーカス制御復調信号Ｓ７ｆ及びトラッキング制御復調信号Ｓ８ｆを出力する復調回路１８と、フォーカス制御復調信号Ｓ７ｆに基づいてフォーカス駆動信号Ｓ９を生成するフォーカス駆動回路６と、トラッキング制御復調信号Ｓ８ｆに基づいてトラッキング駆動信号Ｓ１０を生成するトラッキング駆動回路７と、を備えている。
【００６６】
また、光ピックアップユニット３ａは、レーザ光の光源３ａ１と、光源３ａ１からのレーザ光を反射して立ち上げるビームスプリッタ３ａ２と、レーザ光を光ディスク１１の記録面（図示せず）に集光させる対物レンズ３ａ３と、記録面で反射しビームスプリッタ３ａ２を通過したレーザ光を検出する受光素子３ａ４と、を備えている。
また、この光ピックアップユニット３ａを光ディスク１１の記録面に対し垂直変位させる為のボイスコイル８と、光ピックアップユニット１０３ａをディスク１１１の記録面に対し平行変位させる為のボイスコイル９と、が設けられている。
【００６７】
上記構成において、制御信号生成処理回路１２Ｃは、アナログのフォーカス制御信号Ｓ１及びトラッキング制御信号Ｓ２を生成すると共に、これらをパルス幅変調して合成した合成信号Ｓ３と、デューテュー比５０％のパルス信号である基準信号Ｓ１２と、を出力する。
この合成信号Ｓ３と基準信号Ｓ１２とは演算回路１７に入力される。ここで、合成信号Ｓ３と基準信号Ｓ１２とは、それぞれ基板ＰＢ１から基板ＰＢ２へＦＰＣ１を介して独立して配線されたパターンＰｓ３，Ｐｓ１２により伝達される。
【００６８】
演算回路１７は、この２つの信号Ｓ３，Ｓ１２の排他的論理和をとって３値出力である演算合成信号Ｓ１３を出力する。
この演算合成信号Ｓ１３は、復調回路１８において、フォーカス制御復調信号Ｓ７ｆとトラッキング制御復調信号Ｓ８ｆとに復調されそれぞれ出力される。
フォーカス駆動回路６は、フォーカス制御復調信号Ｓ７ｆを入力してフォーカス駆動信号Ｓ９を出力し、トラッキング駆動回路７は、トラッキング制御復調信号Ｓ８ｆを入力してトラッキング駆動信号Ｓ１０を出力する。
【００６９】
フォーカス駆動信号Ｓ９はボイスコイル８に供給され、その電流に基づいて光ピックアップユニット３ａの対物レンズ３ａ３が光ディスク１１の記録面に対して垂直移動される。
トラッキング駆動信号Ｓ１０はボイスコイル９に供給され、その電流に基づいて光ピックアップユニット３ａの対物レンズ３ａ３が光ディスク１１の記録面に対して平行移動される。
この平行移動に伴う反射光量の変化は、受光素子３ａ４により電気信号に変換され光検出信号Ｓ４として光検出信号受信処理回路５に伝達される。ここで、光検出信号Ｓ４は、光ピックアップユニット３ａから基板ＰＢ２及びＦＰＣ１を介して基板ＰＢ１へと配線されたパターンＰｓ４により伝達される。
【００７０】
処理回路５は、この光検出信号Ｓ４に基づいてフォーカスエラー信号Ｓ５及びトラッキングエラー信号Ｓ６を制御信号生成処理回路１２にフィードバックすることで制御が行われる。
【００７１】
また、演算回路１７は、出力する差分合成信号Ｓ１３を、Ｈ（Ｈｉｇｈ）レベル，Ｍ（Ｍｉｄ）レベル，及びＬ（Ｌｏｗ）レベルの３値とし、それぞれを、合成信号Ｓ３と基準信号Ｓ１２との差分をとった結果の、正値，０（ゼロ），負値に対応させて出力する。
これにより、この差分合成信号Ｓ１３に含まれる交流成分のエネルギーは大幅に低減し電磁波の輻射量も極めて少なくなるので、光検出信号へのクロストークもより低減される。
従って、信号処理回路１ｃ及び光ピックアップ用駆動回路２ｃ間の信号伝達において、合成信号Ｓ３と差分合成信号Ｓ１３と光検出信号Ｓ４とを伝送する各配線パターンＰｓ３，Ｐｓ１３，Ｐｓ４を、互いに極めて接近させて設けることが可能となっている。もちろん、互いに隣接するように設けることができる。
【００７２】
また、この実施例も、信号をパルス幅変調して伝送しているので、デジタルパルス列として伝送する場合に比較して周波数が大幅に低くなって電磁波として輻射されにくく、光検出信号へのクロストークがより低減する。
【００７３】
図９は、フォーカス制御信号Ｓ１及びトラッキング制御信号Ｓ２と、これらをパルス幅変調したフォーカス制御信号Ｓ７ｐ及びトラッキング制御信号Ｓ８ｐと、これらを基にして制御信号生成処理回路１２Ｃから出力される合成信号Ｓ３及び基準信号Ｓ１２と、演算回路１７から出力される排他的論理和信号である差分合成信号Ｓ１３と、復調回路１３から出力されるフォーカス制御復調信号Ｓ７ｆ及びトラッキング制御復調信号Ｓ８ｆと、を示した図である。
【００７４】
具体的には、
図９（ａ）はフォーカス制御信号Ｓ１を示し、
図９（ｂ）はトラッキング制御信号Ｓ２を示し、
図９（ｃ）は、この実施例における合成前のパルス幅変調されたフォーカス制御信号Ｓ７ｐを示し、
図９（ｄ）は、この実施例における合成前のパルス幅変調されたトラッキング制御信号Ｓ８ｐを示し、
図９（ｅ）は、この実施例における合成信号Ｓ３を示し、
図９（ｊ）は、この実施例における基準信号Ｓ１２を示し、
図６（ｋ）は、この実施例における差分合成信号Ｓ１３を示し、
図６（ｆ）は、この実施例における復調されたフォーカス制御復調信号Ｓ７ｆを示し、
図６（ｇ）は、この実施例における復調されたトラッキング制御復調信号Ｓ８ｆを示している。
【００７５】
この図９において、合成信号Ｓ３は、信号開始を検出するためのヘッダーマークｈｍ，デューティ比５０％の基準信号ｋｓ，合成前のフォーカス制御信号Ｓ７ｐ，及び合成前のトラッキング制御信号Ｓ８ｐにより構成される。
【００７６】
すなわち、図９の下方に示すように、所定の周期Ｔ０の区間ｎ１，ｎ２，・・・を設定すると、まず、ｎ１にヘッダーマークｈｍ、ｎ２に基準信号ｋｓを配列し、さらにｎ３に区間ｎ３のフォーカス制御信号Ｓ７ｐを、ｎ４を区間ｎ４のトラッキング制御信号Ｓ８ｐとし、以下、フォーカス制御信号Ｓ７ｐとトラッキング制御信号Ｓ８ｐを交互に配列する。このｎ３以降の交互に配列された区間はデータ配列区間である。
【００７７】
フォーカス制御復調信号Ｓ７ｆ及びトラッキング制御復調信号Ｓ８ｆの振幅は、差分合成信号Ｓ１３から、具体的に以下のように得ることができる。
例えば、差分合成信号Ｓ１３の区間ｎ４のデータはその区間ｎ４のトラッキング制御信号Ｓ８ｐが反映されているので、そのパルス幅ｔｓ１値を区間ｎ５のトラッキング制御復調信号Ｓ８ｆの振幅とする。
差分合成信号Ｓ１３の区間ｎ５のデータはその区間ｎ５のフォーカス制御信号Ｓ７ｐが反映されているので、そのパルス幅ｔｓ２値を区間ｎ６のフォーカ制御復調信号Ｓ７ｆの振幅とする。
区間ｎ６のトラッキング制御復調信号Ｓ８ｆは、区間ｎ５の値をホールドする。
ｎ７以降の各区間について、各振幅は同様に設定され、差分合成信号Ｓ１３からフォーカス制御復調信号Ｓ７ｆ及びトラッキング制御復調信号Ｓ８ｆが復調生成される。
【００７８】
上述した各実施例によれば、フォーカス制御信号とトラッキング制御信号とを伝送する配線パターンと光検出信号を伝送する配線パターンとを極めて近接して設けても、光検出信号に混入するクロストークが大幅に減少するので、光ディスクに対する光ピックアップのフォーカス及びトラッキング動作を極めて安定して、精度よく高速で行うことができる。
従って、光ディスクが大容量化し、高密度での情報の記録または再生を行う場合も、極めて良好に実行することができ、より高速でのリードライトが可能となる。
【００７９】
本発明の実施例は、上述した構成及び手順に限定されるものではなく、本発明の要旨を逸脱しない範囲において変形例としてもよいのは言うまでもない。
【図面の簡単な説明】
【００８０】
【図１】本発明の光ディスク駆動装置の第１実施例を説明するためのブロック図である。
【図２】本発明の光ディスク駆動装置の第１実施例の概略構成を説明するための図である。
【図３】本発明の光ディスク駆動装置の第１実施例における信号処理を説明するための波形図である。
【図４】本発明の光ディスク駆動装置の第２実施例を説明するためのブロック図である。
【図５】本発明の光ディスク駆動装置の第２実施例の概略構成を説明するための図である。
【図６】本発明の光ディスク駆動装置の第２実施例における信号処理を説明するための波形図である。
【図７】本発明の光ディスク駆動装置の第３実施例を説明するためのブロック図である。
【図８】本発明の光ディスク駆動装置の第３実施例の概略構成を説明するための図である。
【図９】本発明の光ディスク駆動装置の第３実施例における信号処理を説明するための波形図である。
【図１０】従来の光ディスク駆動装置を説明するためのブロック図である。
【図１１】従来の光ディスク駆動装置の概略構成を説明するための図である。
【符号の説明】
【００８１】
１ａ  信号処理回路
２ａ  光ピックアップ用駆動回路
３ａ  光ピックアップユニット
３ａ１  光源
３ａ２  ビームスプリッタ
３ａ３  対物レンズ
３ａ４    受光素子
５  光検出信号受信処理回路
６  フォーカス駆動回路
７  トラッキング駆動回路
８，９  ボイスコイル
１０  スピンドルモータ
１１  光ディスク
１２  制御信号生成処理回路
１３  復調回路
１５  差動アンプ
１７  演算回路
１８  復調回路
５０，５０Ｂ，５０Ｃ  光ディスク装置
ｈｍ  ヘッダーマーク
ｋｓ  基準信号
ＰＢ１，ＰＢ２  基板
ＦＰＣ１，ＦＰＣ２  ＦＰＣ
Ｐｓ３，Ｐｓ３ｒ，Ｐｓ４，Ｐｓ１２  配線パターン
Ｓ１，Ｓ７ｐ  フォーカス制御信号
Ｓ２，Ｓ８ｐ  トラッキング制御信号
Ｓ３  合成信号
Ｓ３Ｒ  合成反転信号
Ｓ４  光検出信号
Ｓ５  フォーカスエラー信号
Ｓ６  トラッキングエラー信号
Ｓ７  フォーカス制御信号
Ｓ７ｆ  フォーカス制御復調信号
Ｓ８  トラッキング制御信号
Ｓ８ｆ  トラッキング制御復調信号
Ｓ９  フォーカス駆動信号
Ｓ１０  トラッキング駆動信号
Ｓ１１  差動合成信号
Ｓ１２  基準信号
Ｓ１３  演算合成信号（三値信号）
【図１】
2008276869.tif 000003
【図２】
2008276869.tif 000004
【図３】
2008276869.tif 000005
【図４】
2008276869.tif 000006
【図５】
2008276869.tif 000007
【図６】
2008276869.tif 000008
【図７】
2008276869.tif 000009
【図８】
2008276869.tif 000010
【図９】
2008276869.tif 000011
【図１０】
2008276869.tif 000012
【図１１】
2008276869.tif 000013